(57)【特許請求の範囲】
【請求項１】
前面に表示画面を有する表示部と、第１開口が外周壁部に形成される背面側ケースを有し、上記表示部の背面側に上記表示部に一体に設けられる本体部とを備え、
筺体の外側に上記表示部が配置され、かつ上記本体部が、上記背面側ケースの上記第１開口の形成部位を上方に向け、上記筺体の壁を構成するパネル部材に挿通されて上記筺体の内側に配置されるように上記パネル部材に取り付けられる表示装置であって、
上方から見て、上記パネル部材と上記第１開口との間に位置する上記背面側ケースの部位を横切って上記背面側ケースの側部まで延在される第１案内溝を備え、
上記第１案内溝は、上記背面側ケースの側部に向かうにつれて、その深さが漸次深くなるように形成され、それによって、上記第１案内溝の底面の高さ位置は、上記背面側ケースの側部に向かうにつれて、漸次低くなるように形成されている
ことを特徴とする表示装置。
【請求項２】
上方から見て、上記第１案内溝は、上記背面側ケースの一方の側部から他方の側部に至るように形成されていることを特徴とする請求項１に記載の表示装置。
【請求項３】
複数の上記第１案内溝が、上記パネル部材と上記第１開口との間に位置する上記背面側ケースの部位をそれぞれ横切るように、互いに離間して形成されていることを特徴とする請求項１又は２に記載の表示装置。
【請求項４】
上記第１案内溝には、第１吸水部材が保持されていることを特徴とする請求項１乃至請求項３のいずれか１項に記載の表示装置。
【請求項５】
上記第１案内溝の壁面には、液体を上記第１案内溝の壁面に引き付ける張力を働かせるための表面加工が施されていることを特徴とする請求項１乃至請求項３のいずれか１項に記載の表示装置。
【請求項６】
第２開口が、上記背面側ケースの上記側部から下方向に高さ位置を変えて延在する上記背面側ケースの外周壁部の部位に形成され、
第２案内溝が、上記パネル部材と上記第２開口との間に位置する上記背面側ケースの外周壁部の部位を横切って延在するように形成されていることを特徴とする請求項１乃至請求項５のいずれか１項に記載の表示装置。
【請求項７】
複数の上記第２案内溝が、上記第２開口が形成された上記背面側ケースの外周壁部の部位と相対する方向から見て、上記パネル部材と上記第２開口との間に位置する上記背面側ケースの外周壁部の部位をそれぞれ横切るように、互いに離間して形成されていることを特徴とする請求項６に記載の表示装置。
【請求項８】
上記第２案内溝には、第２吸水部材が保持されていることを特徴とする請求項６または請求項７に記載の表示装置。
【請求項９】
上記第２案内溝の壁面には、液体を上記第２案内溝の壁面に引き付ける張力を働かせるための表面加工が施されていることを特徴とする請求項６または請求項７に記載の表示装置。
【発明の詳細な説明】
【技術分野】
【０００１】
この発明は、筺体内に一部を挿入させて筺体に取り付けられる表示装置に関する。
【背景技術】
【０００２】
以下、従来の表示装置の筺体への取り付け構造について説明する。
図１０は従来の表示装置の前面側の斜視図であり、取り付け対象となる筺体のパネル部材とともに図示している。図１１は従来の表示装置の背面側の斜視図、図１２は従来の表示装置の筺体への取り付け方法について説明する斜視図である。
【０００３】
図１０〜図１２において、従来の表示装置１００は、表示画面としての液晶画面３ａ、及び液晶画面３ａを支持する前面側ケース５を有し、前面に液晶画面３ａを露出させて配置された表示部２と、表示部２の背面側に表示部２に一体に設けられる背面側ケース１１を有する本体部１０とを備えている（例えば、非特許文献１参照）。
【０００４】
前面側ケース５と背面側ケース１１とは、奥行き方向を一致させ、かつ、背面側ケース１１側から前面側ケース５を見たときに、前面側ケース５が背面側ケース１１の外側に延出されように一体化され、背面側ケース１１から延出された前面側ケース５の部位が、ツバ部５ａを構成している。
【０００５】
ここでは、前面側ケース５及び背面側ケース１１のそれぞれは、奥行き方向に直交する外形形状が、矩形形状となっている。背面側ケース１１を臨むツバ部５ａの面には、背面側ケース１１の奥行き方向から見て、背面側ケース１１を囲繞する取付溝６が形成され、当該取付溝６には、図１１に示されるように、防水パッキン７が嵌め込まれる。
【０００６】
また、背面側ケース１１の外周壁部には、図１０に示されるように、背面側ケース１１内の熱を背面側ケース１１の外部に逃がすためのスリット状の放熱穴１３ａや、従来の表示装置１００を、例えば、制御盤等の筺体の壁部を構成するパネル部材２０に取り付けるのに利用される取付固定穴１２ａが形成されている。
【０００７】
例えば、パネル部材２０には、図１０に示されるように、おおよそ、背面側ケース１１の外形形状に対応する形状の挿入穴２０ａが形成されている。そして、表示装置１００は、表示部２を筺体の外側に配置し、背面側ケース１１をパネル部材２０の挿入穴２０ａを介して筺体内に挿入させて、以下のようにパネル部材２０に取り付けられる。
【０００８】
即ち、図１２に示されるように、固定金具１８ａを取付固定穴１２ａに一部を挿入させて固定し、さらに、固定金具１８ａに、ネジ１８ｂを挿通して、パネル部材２０に螺合させることで、従来の表示装置１００が、パネル部材２０に締着固定される。
このとき、従来の表示装置１００は、防水パッキン７がパネル部材２０の表面に密接するようにパネル部材２０に取り付けられる。これにより、従来の表示装置１００を取り付けられた筺体が、例えば、水、油、薬液などの液体を扱う工場内や、風雨にさらされる屋外に配置される場合にも、筺体の外部から、挿入穴２０ａを介して筺体内に液体が浸入することが防止されている。
【先行技術文献】
【非特許文献】
【０００９】
【非特許文献１】三菱電機株式会社  ＧＴ１１本体  取扱説明書  ２０１０年版  第６−５〜６−６頁
【発明の概要】
【発明が解決しようとする課題】
【００１０】
しかしながら、従来の表示装置１００において、筺体の外部から筺体内への液体の侵入は防止されるものの、例えば、筺体内に発生した結露などの液体が、パネル部材２０の裏面を伝って流れ落ちて背面側ケース１１の上面まで到達すると、背面側ケース１１の上面を伝って放熱穴１３ａや取付固定穴１２ａから背面側ケース１１内に浸入する場合がある。液体が、背面側ケース１１内に浸入すると、背面側ケース１１内に設けられた基板と図示しない電子機器を接続する電気配線がショートしたり、背面側ケース１１内の部品が腐食したりして、従来の表示装置１００に不具合が発生してしまう恐れがある。
【００１１】
この発明は上記の課題を解決するためになされたものであり、筺体のパネル部材の外部に配置される表示部の背面側に表示部に一体に設けられ、外周壁部に開口が形成されて筺体内に挿入される背面側ケース内に、パネル部材の裏面を伝って背面側ケースに達した液体が開口を介して浸入することを防止できる表示装置を得ることを目的とする。
【課題を解決するための手段】
【００１２】
この発明に係る表示装置は、前面に表示画面を有する表示部と、第１開口が外周壁部に形成される背面側ケースを有し、表示部の背面側に表示部に一体に設けられる本体部とを備え、筺体の外側に表示部が配置され、かつ本体部が、背面側ケースの第１開口の形成部位を上方に向け、筺体の壁を構成するパネル部材に挿通されて筺体の内側に配置されるようにパネル部材に取り付けられる表示装置であって、上方から見て、パネル部材と第１開口との間に位置する背面側ケースの部位を横切って背面側ケースの側部まで延在される第１案内溝を備えている。
【発明の効果】
【００１３】
この発明に係る表示装置によれば、パネル部材の裏面を伝って下降してきた液体が、背面側ケースの上面に到達して、当該上面を第１開口の方向に向かっても、第１開口に至る前に、第１案内溝に流れ込む。そして、第１案内溝に案内されて背面側ケースの側部まで導かれた液体は、背面側ケースの外周壁部を伝って背面側ケースの下端まで下降して落下する。従って、液体が、第１開口を介して背面側ケース内に浸入することを防止することができる。
【図面の簡単な説明】
【００１４】
【図１】この発明の実施の形態１に係る表示装置が筺体のパネル部材に取り付けられた様子を上方から見た断面図である。
【図２】この発明の実施の形態２に係る表示装置が筺体のパネル部材に取り付けられた様子を上方から見た断面図である。
【図３】この発明の実施の形態３に係る表示装置が筺体のパネル部材に取り付けられた様子を上方から見た断面図である。
【図４】図３のＩＶ−ＩＶ矢視断面図である。
【図５】この発明の実施の形態４に係る表示装置が筺体のパネル部材に取り付けられた様子を上方から見た断面図である。
【図６】この発明の実施の形態５に係る表示装置が筺体のパネル部材に取り付けられた様子を上方から見た断面図である。
【図７】図６のＶＩＩ−ＶＩＩ矢視断面図である。
【図８】この発明の実施の形態６に係る表示装置が筺体のパネル部材に取り付けられた様子を上方から見た断面図である。
【図９】この発明の実施の形態７に係る表示装置の第１案内溝に直交する方向の要部断面図である。
【図１０】従来の表示装置の前面側の斜視図であり、取り付け対象となる筺体のパネル部材とともに図示している
【図１１】従来の表示装置の背面側の斜視図である。
【図１２】従来の表示装置の筺体への取り付け方法について説明する斜視図である。
【発明を実施するための形態】
【００１５】
以下、この発明を実施するための最良の形態について、図面を参照して説明する。
【００１６】
実施の形態１．
図１はこの発明の実施の形態１に係る表示装置が、筺体のパネル部材に挿通された様子を上方から見た断面図である。
なお、上記従来技術と同一部分または相当部分には同一符号を付し、その説明は一部省略する。また、図１では、取付溝及び防水パッキンの図示を省略する。
【００１７】
図１において、表示装置１Ａは、表示部２と、表示部２の背面側に表示部２に一体に設けられる本体部１０とを備えている。
【００１８】
表示部２は、表示画面としての液晶画面３ａを有する表示部本体３、液晶画面３ａの表面に重ねて設けられ、液晶画面３ａの表示内容をタッチ操作にて選択する機能を有する周知のタッチパネル（図示せず）、及びタッチパネルと表示部本体３を支持する前面側ケース５を備えている。
【００１９】
前面側ケース５は、例えば樹脂製であり、前面側ケース５の奥行き方向に直交する断面の外形形状は、おおよそ所定の幅及び高さを有する矩形形状となっている。また、前面側ケース５の中央部には、矩形形状の窓部（図示せず）が形成されている。
表示部本体３が、液晶画面３ａが窓部に露出されるように配置され、さらに、タッチパネルが液晶画面３ａを覆うように配置されている。
以上のように、表示部本体３及びタッチパネルが配置されて、前面側ケース５に支持される。
なお、液晶画面３ａ中に表示される複数の表示内容の中から、タッチパネルによる選択操作を必要としない場合には、タッチパネルを省略してもよい。
【００２０】
本体部１０は、第１開口としての第１取付固定穴１２ａ及び第１放熱穴１３ａが外周壁部に形成された背面側ケース１１と、背面側ケース１１内に配置される基板（図示せず）と、外部と基板との信号のやり取りを行ったりするために、背面側ケース１１まわりに取り付けられるコネクタ（図示せず）とを有している。
【００２１】
背面側ケース１１の奥行き方向に直交する断面の外形形状は、前面側ケース５の幅及び高さより大きな幅及び高さの矩形形状である。
【００２２】
また、基板は、液晶画面３ａの表示内容を制御するものであり、例えば、外部に設けられるプログラマブルコントローラ（図示せず）等の制御機器から送られてくる情報に応じた内容の表示を、液晶画面３ａに行わせる。
【００２３】
そして、上述したように、前面側ケース５と背面側ケース１１とは、奥行き方向を一致させ、背面側ケース１１の奥行き方向から見て、背面側ケース１１の外側に延出されるように、一体化されている。背面側ケース１１から延出された前面側ケース５の外周部が、ツバ部５ａを構成している。さらに、背面側ケース１１を臨むツバ部５ａの壁面に形成された取付溝（図示せず）に、防水パッキン（図示せず）が嵌め込まれている。
【００２４】
第１取付固定穴１２ａは、背面側ケース１１の奥行き方向に平行な外周壁部のうち、高さ方向に相対する２つの壁部のうちの一方の壁部１２に形成されている。
第１取付固定穴１２ａは、壁部１２の幅方向の両端近傍のそれぞれの部位に形成されている。また、一対の第１取付固定穴１２ａは、背面側ケース１１の、表示部２が連結される奥行き方向の一端側の近傍に位置している。
なお、壁部１２と高さ方向に相対する壁部（図示せず）にも、図示しない第２取付固定穴が形成されている。
【００２５】
そして、一対の第１案内溝１４ａが、壁部１２の表面に形成されている。
このとき、一対の第１案内溝１４ａは、背面側ケース１１の幅方向に関して、一対の第１取付固定穴１２ａの間に一端が配置されている。そして、一方の案内溝１４ａは、一方の第１取付固定穴１２ａと背面側ケース１１の奥行き方向の一端との間に位置する壁部１２の部位を横切って、幅方向の一側に位置する背面側ケース１１の壁部、言い換えれば、壁部１２の一方の側部（一端部）に至るまで延在している。また、他方の案内溝１４ａは、他方の第１取付固定穴１２ａと背面側ケース１１の奥行き方向の一端との間に位置する壁部１２の部位を横切って、壁部１２の他方の側部（他端部）に至るまで延在している。また、第１案内溝１４ａは、長手方向の全域に亘って同じ深さに形成されている。
【００２６】
壁部１２には、複数の第１放熱穴１３ａが、背面側ケース１１の幅方向（壁部１２の幅方向）に互いに離間して形成されている。なお、複数の第１放熱穴１３ａは、背面側ケース１１の幅方向に関して、一対の第１取付固定穴１２ａの間に位置している。各第１放熱穴１３ａは、スリット形状であり、第１放熱穴１３ａの長手方向が、背面側ケース１１の奥行き方向に一致している。
【００２７】
そして、以上のように構成された表示装置１Ａは、以下のように、筺体に取り付けられて用いられる。
【００２８】
表示装置１Ａは、筺体を構成する壁部のうち、高さ方向に延在するパネル部材２０に取り付けられる
表示装置１Ａは、表示部２を筺体の外側に配置し、背面側ケース１１をパネル部材２０に形成された挿入穴（図示せず）を介して筺体内に挿入させてパネル部材２０に取り付けられる。
【００２９】
このとき、表示装置１Ａは、第１取付固定穴１２ａおよび第１放熱穴１３ａが形成された壁部１２を上方に向け、背面側ケース１１の幅方向を水平にして配置されている。
これにより、一対の第１案内溝１４ａの底面の高さ位置は、第１案内溝１４ａの長さ方向全域に亘って同じとなる。
【００３０】
そして、上述したように、第１取付固定穴１２ａに取り付けた固定金具（図示せず）に、ネジ（図示せず）を挿通してパネル部材２０に螺合させることで、表示装置１Ａが、パネル部材２０に締着固定される。
【００３１】
このとき、防水パッキンが、パネル部材２０の挿通穴の開口縁部を囲繞し、かつパネル部材２０に密接されている。
これにより、筺体の外部から、パネル部材２０の挿通穴を介して筺体内に、水分等の液体が浸入することが防止される。
【００３２】
また、パネル部材２０に取り付けられた表示装置１Ａを上方から見ると、一方の第１案内溝１４ａは、本体部１０が挿入されたパネル部材２０と一方の第１取付固定穴１２ａとの間に位置する背面側ケース１１の部位を横切って背面側ケース１１の一方の側部まで延在されている。また、他方の第１案内溝１４ａは、パネル部材２０と他方の第１取付固定穴１２ａとの間に位置する背面側ケース１１の部位を横切って背面側ケース１１の他方の側部まで延在される。
【００３３】
次いで、パネル部材２０の裏面に結露が発生し、水分（液体）が、上方から見て、一方の第１取付固定穴１２ａと相対する背面側ケース１１の壁面を伝って、背面側ケース１１の上面まで下降してきた場合について説明する。
【００３４】
背面側ケース１１の上面、言い換えれば、壁部１２まで到達した水分は、壁部１２の表面に沿って、奥行き方向にも向かって移動される。奥行方向に移動する水分の前方には、第１案内溝１４ａが形成されているので、水分は、第１案内溝１４ａに流れ込む。第１案内溝１４ａに流れ込んだ水分は、背面側ケース１１の幅方向の一方の側部に向かって流れる。さらに、背面側ケース１１の幅方向の一側の壁部の表面を伝って下降して、背面側ケース１１の下端から落下する。
【００３５】
なお、水分が、上方から見て、他方の第１取付固定穴１２ａと相対する背面側ケース１１の壁面を伝って、背面側ケース１１の上面まで下降してきた場合についても同様に、背面側ケース１１の下端まで移動して、落下する
【００３６】
この実施の形態１の表示装置１Ａは、表示部２が筺体の外側に位置し、第１取付固定穴１２ａが形成された本体部１０が、筺体の壁を構成するパネル部材２０に挿通されて筺体の内側に配置されるように、パネル部材２０に取り付けられている。そして、第１案内溝１４ａが、上方から見て、本体部１０が挿通されたパネル部材２０と第１取付固定穴１２ａとの間に位置する背面側ケース１１の部位を横切って背面側ケース１１の側部まで延在されるように、背面側ケース１１の外周壁部の表面に形成されている。
【００３７】
従って、背面側ケース１１の上面までパネル部材２０の裏面を伝って下降してきた水分が、背面側ケース１１の上面を伝って第１取付固定穴１２ａの方向に向かっても、第１取付固定穴１２ａに至る前に、第１案内溝１４ａに流れ込む。さらに、上述したように、第１案内溝１４ａに案内されて背面側ケース１１の側部まで導かれた水分は、背面側ケース１１の下端に到達し、背面側ケース１１から落下する。従って、水分が、第１取付固定穴１２ａを介して背面側ケース１１内に浸入されることが防止される。
これにより、背面側ケース１１内に設けられた基板と図示しない電子機器を接続する電気配線がショートしたり、背面側ケース１１内の部品が腐食したりして、表示装置１Ａに不具合が発生することを抑制できる。
【００３８】
実施の形態２．
図２はこの発明の実施の形態２に係る表示装置が筺体のパネル部材に取り付けられた様子を上方から見た断面図である。
なお、図２において、上記実施の形態１と同一または相当部分には同一符号を付し、その説明は省略する。
【００３９】
図２において、表示装置１Ｂは、一対の第１案内溝１４ａに代え第１案内溝１４ｂを備えている他は、上記実施の形態１と同様に構成されている。
第１案内溝１４ｂは、背面側ケース１１の高さ方向の一方の壁部１２の幅方向の一端（背面側ケース１１の一方の側部）から、一対の第１取付固定穴１２ａ及び複数の第１放熱穴１３ａと背面側ケース１１の奥行き方向の一端との間に位置する壁部１２の部位を横切って、壁部１２の幅方向の他端（背面側ケース１１の他方の側部）に至るまで延在されている。
なお、第１案内溝１４ｂの深さは、長手方向の全域に亘って同じになっている。
【００４０】
表示装置１Ｂは、背面側ケース１１の向きを表示装置１Ａの場合と同様にしてパネル部材２０に取り付けられている。
これにより、第１案内溝１４ｂは、上方から見て、第１取付固定穴１２ａ及び第１放熱穴１３ａとパネル部材２０との間に位置する背面側ケース１１の壁部１２の部位を横切るように、背面側ケース１１の一方の側部から他方の側部に至るまで延在される。
【００４１】
従って、背面側ケース１１の上面までパネル部材２０の裏面を伝って下降してきた水分が、第１取付固定穴１２ａ及び第１放熱穴１３ａの方向に向かっても、第１取付固定穴１２ａ及び第１放熱穴１３ａに至る前に、第１案内溝１４ｂに流れ込む。これにより、第１案内溝１４ｂに流れ込んだ水分が、背面側ケース１１の幅方向の両側の側部のいずれかに案内され、以下、表示装置１Ａの場合と同様に、背面側ケース１１から落下する。従って、水分が、第１取付固定穴１２ａ及び第１放熱穴１３ａを介して背面側ケース１１内に浸入されることを防止できる。
これにより、背面側ケース１１内に設けられた基板等と図示しない電子機器を接続する電気配線がショートしたり、背面側ケース１１内の部品が腐食したりして、表示装置１Ｂに不具合が発生することを抑制できる。
【００４２】
実施の形態３．
図３はこの発明の実施の形態３に係る表示装置が筺体のパネル部材に取り付けられた様子を上方から見た断面図、図４は図３のＩＶ−ＩＶ矢視断面図である。
なお、図３及び図４において、上記実施の形態１と同一または相当部分には同一符号を付し、その説明は省略する。
【００４３】
図３及び図４において、表示装置１Ｃは、一対の第１案内溝１４ａに代え、一対の第１案内溝１４ｃを備えている他は上記実施の形態１と同様に構成されている。
各第１案内溝１４ｃは、一端から背面側ケース１１の側部に向かって、その深さが漸次深くなるように形成されている。
【００４４】
そして、表示装置１Ｃは、背面側ケース１１の向きを表示装置１Ａの場合と同様にしてパネル部材２０に取り付けられている。
【００４５】
これにより、第１案内溝１４ｃの底面の高さ位置は、背面側ケース１１の幅方向の外側に向かうほど低くなっている。
【００４６】
従って、この実施の形態３によれば、第１案内溝１４ｃに流れ込んだ水分には、背面側ケース１１の幅方向の一側または他側の側部に向かう重力が働くので、水分は、背面側ケース１１の側部にスムーズに案内される。
【００４７】
従って、第１取付固定穴１２ａを介して背面側ケース１１内に浸入されることが一層防止される。これにより、背面側ケース１１内に設けられた基板と図示しない電子機器を接続する電気配線がショートしたり、背面側ケース１１内の部品が腐食したりして、表示装置１Ｂに不具合が発生することを抑制できる。
【００４８】
なお、この実施の形態３では、表示装置１Ａ第１案内溝１４ａに代え、底面が背面側ケース１１の側部に向かって漸次高さ位置が低くなるように第１案内溝１４ｃを形成するものとして説明したが、表示装置１Ｂの第１案内溝１４ｂに代え、以下のように底面の高さ位置が変わるように第１案内溝を形成しても、上記効果が得られる。
【００４９】
即ち、背面側ケース１１の幅方向の一方の側部から他方の側部に至る第１案内溝を、その延在方向の中間部の底面の高さ位置が最も高くなるように、第１案内溝の延在方向の中間部から背面側ケース１１の一方または他方の側部に向かって漸次、底面の位置が低くなるように形成するものでもよい。
【００５０】
さらに言えば、第１案内溝は、最も高い位置にある底面の部位から、背面側ケース１１の側部に向かうにつれて、底面の高さ位置が、漸次低くなるように形成されていればよい。
このように第１案内溝１４ｃを形成することで、第１案内溝１４ｃに流れ込んだ水分をスムーズに背面側ケース１１の側部に案内させることができる。
【００５１】
実施の形態４．
図５はこの発明の実施の形態４に係る表示装置が筺体のパネル部材に取り付けられた様子を上方から見た断面図である。
なお、図５おいて、上記実施の形態１と同一または相当部分には同一符号を付し、その説明は省略する。
【００５２】
図５において、表示装置１Ｄの背面側ケース１１の幅方向の両側の側面には、第２開口としての第２放熱穴１３ｂが形成されている。
第２放熱穴１３ｂの形状は、第１放熱穴１３ａと同様であり、長手方向を奥行き方向に一致させて形成されている。
また、パネル部材２０と第２放熱穴１３ｂのパネル部材２０側の端部との間には、間隔があけられている。
【００５３】
そして、第２案内溝１４ｄが、第１案内溝１４ａの端部に連結されて、背面側ケース１１の高さ方向の一端から、第２放熱穴１３ｂとパネル部材２０の間に位置する背面側ケース１１の外周壁部の表面を横切って背面側ケース１１の高さ方向の他端に至るように形成されている。
【００５４】
そして、表示装置１Ｄは、背面側ケース１１の向きを表示装置１Ａの場合と同様にしてパネル部材２０に取り付けられている。
【００５５】
従って、この実施の形態４の表示装置１Ｃによれば、第１案内溝１４ａに接続される第２案内溝１４ｄが、本体部１０が挿入されたパネル部材２０と第２放熱穴１３ｂとの間に位置する外周壁部の部位を横切って延在されている。このため、第１案内溝１４ａに案内されて背面側ケース１１の側部まで導かれた水分は、第２案内溝１４ｄに流れ込み、背面側ケース１１の下端まで導かれて背面側ケース１１から落下する。これにより、第２放熱穴１３ｂを介して背面側ケース１１内に浸入されることが防止されるので、背面側ケース１１内に配置された基板と電気機器を接続する電気配線がショートしたり、背面側ケース内の部品が腐食したりして、表示装置に不具合が発生してしまうことを一層抑制できる。
【００５６】
なお、この実施の形態４では、第１案内溝１４ａと第２案内溝１４ｄが接続されるものとして説明したが、第１案内溝１４ａと第２案内溝１４ｄは、接続されるものに限定されない。特に、第２案内溝１４ｄが、背面側ケース１１の奥行き方向に関して、第１案内溝１４ａよりパネル部材２０から遠い位置に配置されていれば、第１案内溝１４ｄから流れ落ちる水分が、第２放熱穴１３ｂに向かうような場合でも、第２放熱穴１３ｂに至る前に第２案内溝１４ｄに流れ込むので、表示装置１Ｄに不具合が発生してしまうことを抑制する効果が得られる。
【００５７】
実施の形態５．
図６はこの発明の実施の形態５に係る表示装置が筺体のパネル部材に取り付けられた様子を上方から見た断面図、図７は図６のＶＩＩ−ＶＩＩ矢視断面図である。
なお、図６及び図７において、上記実施の形態１と同一または相当部分には同一符号を付し、その説明は省略する。
【００５８】
図６及び図７において、表示装置１Ｅは、第１案内溝１４ａに保持される第１吸水部材１７を有する他は、上記実施の形態１と同様に構成されている。
第１吸水部材１７は、第１案内溝１４ａの長手方向全域に亘って配置されている。
第１吸水部材１７には、ウレタンスポンジなどの吸水性を有する材料を用いることができる。例えば、ソフラス（富士ケミカル株式会社製）を用いることができる。
【００５９】
表示装置１Ｅは、背面側ケース１１の向きを表示装置１Ａの場合と同様にしてパネル部材２０に取り付けられている。
【００６０】
従って、この実施の形態５の表示装置１Ｅによれば、第１案内溝１４ａが表示装置１Ａと同様に形成されているので、水分が、第１取付固定穴１２ａを介して背面側ケース１１内に浸入することを防止できる。
【００６１】
さらに、吸水部材１７が第１案内溝１４ａに保持されているので、多少の水分が、第１案内溝１４ａに流れ込んでも、背面側ケース１１から落下させることを防止できる。
背面側ケース１１の下方に、水分を落下させたくない場合に有効である。
【００６２】
なお、この実施の形態５では、第１案内溝１４ａに吸水部材１７を保持させるものとして説明したが、背面側ケース１１の幅方向の両壁部に実施の形態２と同様の第２案内溝を設け、第２案内溝に、第２吸水部材を保持させる場合でも、第２放熱穴１３ｂを介して背面側ケース１１内に水分が浸入するのを防止しつつ、第２案内溝に多少の水分が流れ込んでも、背面側ケース１１の下方に水分が落下するのを防止する効果が得られる。
【００６３】
実施の形態６．
図８はこの発明の実施の形態６に係る表示装置が筺体のパネル部材に取り付けられた様子を上方から見た断面図である。
なお、図８において、上記実施の形態１と同一または相当部分には同一符号を付し、その説明は省略する。
【００６４】
図８において、表示装置１Ｆは、一方の第１取付固定穴１２ａと背面側ケース１１の奥行き方向の一端との間に位置する壁部１２の部位を横切るように形成される第１案内溝１４ａを、２つ有している。
【００６５】
２つの第１案内溝１４ａは、壁部１２と相対する側から見て、背面側ケース１１の奥行き方向に延在方向を直交させて、互いに離間するように形成されている。
同様に、２つの第１案内溝１４ａが、他方の第１取付固定穴１２ａと背面側ケース１１の奥行き方向の一端との間に位置する壁部１２の部位に形成されている。
【００６６】
表示装置１Ｆは、背面側ケース１１の向きを表示装置１Ａの場合と同様にしてパネル部材２０に取り付けられている。
このとき、一方の第１取付固定穴１２ａに対応する２つの案内溝１４ａは、パネル部材２０と第１取付固定穴１２ａとの間に位置する背面側ケース１１の部位をそれぞれ横切るように、互いに離間して配置される。ここでは、一方の第１取付固定穴１２ａに対応する２つの案内溝１４ａは、互いに平行に溝幅方向に離間するように背面側ケース１１に形成されている。
【００６７】
この実施の形態６によれば、２つの第１案内溝１４ａが、上方から見て、パネル部材２０と第１取付固定穴１２ａとの間に位置する背面側ケース１１の部位をそれぞれ横切るように、互いに離間して背面側ケース１１に形成されている。従って、背面側ケース１１の上面までパネル部材２０の裏面を伝って下降してきた水分が、第１取付固定穴１２ａの方向に向かうと、まず、水分は、パネル部材２０に近い側の第１案内溝１４ａに流れ込み、当該第１案内溝１４ａに案内されて、背面側ケース１１の側部に向かう。
【００６８】
また、当該第１案内溝１４ａから水分が溢れたとしても、溢れた水分は、第１取付固定穴１２ａ側に位置するもう一つの第１案内溝１４ａに流れ込んで、もう一つの第１案内溝１４ａに案内されて背面側ケース１１の側部に向かう。
これにより、背面側ケース１１内に設けられた基板と電気機器接続する電気配線がショートしたり、背面側ケース内の部品が腐食したりして、表示装置に不具合が発生してしまうことを抑制できる。
【００６９】
なお、この実施の形態６では、２つの第１案内溝１４ａが、上方から見て、各第１取付固定穴１２ａとパネル部材２０との間に位置する背面側ケース１１の壁部１２をそれぞれ横切るように形成されるものとして説明したが、３つ以上の複数の第１案内溝１４ａを、各第１取付固定穴１２ａとパネル部材２０との間に位置する背面側ケース１１の壁部１２を横切るように形成してもよい。
【００７０】
また、各第１取付固定穴１２ａ及び第１放熱穴１３ａとパネル部材２０との間に位置する背面側ケース１１の壁部１２に、背面側ケース１１の幅方向の一側の側部から他側の側部に至る第１案内溝を複数形成してもよい。
【００７１】
また、第２放熱穴を表示装置１Ｄの場合と同様に形成した場合には、第２放熱穴が形成された背面側ケース１１の外周壁部と相対する方向から見て、複数の第２案内溝を、パネル部材２０と第２放熱穴との間に位置する背面側ケース１１の外周壁部の部位をそれぞれ横切るように互いに離間させて形成すればよい。これにより、第２放熱穴１３ｂを介して水分が背面側ケース１１内に浸入することを一層防止できる。
【００７２】
実施の形態７．
図９はこの発明の実施の形態７に係る表示装置の第１案内溝に直交する方向の要部断面図である。
なお、図９において、上記実施の形態１と同一または相当部分には同一符号を付し、その説明は省略する。
【００７３】
図９において、表示装置１Ｇは、第１案内溝１４ａに代え、第１案内溝１４ｄが形成さされている他は上記実施の形態１と同様に構成されている。
第１案内溝１４ｄの底面は、表面加工が施されて凹凸形状１９に形成されている。
凹凸形状１９は、液体を第１案内溝１４ａの内壁面（底面側）に引き付ける張力が働くような形状となっている。
【００７４】
表示装置１Ｇは、背面側ケース１１の向きを表示装置１Ａの場合と同様にしてパネル部材２０に取り付けられている。
【００７５】
従って、この実施の形態７の表示装置１Ｇによれば、第１案内溝１４ａが表示装置１Ａと同様に形成されているので、水分が、第１取付固定穴１２ａを介して背面側ケース１１内に浸入することを防止できる。
【００７６】
さらに、第１案内溝１４ｄの壁面には、液体を当該壁面側に引き付ける張力を働かせるための表面加工が施されているので、第１案内溝１４ｄに流れ込んだ水分をスムーズに背面側ケース１１の幅方向の側部に案内させることができるとともに、第１案内溝１４ｄに多量の水が流れ込んでも、第１案内溝１４ｄから水分が溢れるのをある程度抑制できる。
【００７７】
なお、この実施の形態７では、第１案内溝１４ａの底面に、凹凸形状１９の表面加工を施すものとして説明したが、第１案内溝１４ａの側面に表面加工を施してもよい。
第１案内溝１４ａに代え、上述の第１案内溝１４ｂを形成し、第１案内溝１４ｂに表面加工を形成しても同様の効果が得られる。
また、第２放熱穴１３ｂ及び第２案内溝１４ｄを形成した場合にも、第２案内溝１４ｄの内面に表面加工を施すことで、上記効果が得られる。
即ち、第２案内溝１４ｄから水分が溢れにくくなるので、第２放熱穴１３ｂを介して背面側ケース１１内に水分が浸入することを防止できる。
【００７８】
なお、上記各実施の形態では、表示画面は液晶画面３ａであるものとして説明したが、液晶画面３ａによらず、プラズマ画面などであってもよい。
また、液体として水分を例に挙げて説明したが、パネル部材２０の内面を伝って流れ落ちる液体全般対して本願を適用できる。
【符号の説明】
【００７９】
１Ａ〜１Ｇ  表示装置、２  表示部、１１  背面側ケース、１２ａ  第１取付固定穴（第１開口）、１３ａ  第１放熱穴（第１開口）、１３ｂ  第２放熱穴（第２開口）、１４ａ〜１４ｃ  第１案内溝、１４ｄ  第２案内溝、１７  第１吸水部材、２０  パネル部材。
【図１】
0005372062.tif 000002
【図２】
0005372062.tif 000003
【図３】
0005372062.tif 000004
【図４】
0005372062.tif 000005
【図５】
0005372062.tif 000006
【図６】
0005372062.tif 000007
【図７】
0005372062.tif 000008
【図８】
0005372062.tif 000009
【図９】
0005372062.tif 000010
【図１０】
0005372062.tif 000011
【図１１】
0005372062.tif 000012
【図１２】
0005372062.tif 000013